(57)【要約】      （修正有）【課題】簡単な構成で光学フィルタとレンズキャップを同時に装着可能で形状の制約の少ないレンズフードを提供する。【解決手段】撮像装置の光学系の先端部に着脱可能なレンズフード３００は、該レンズフード３００の遮光板３０５と、該遮光板３０５の内側にリブ３０６とを有し，該リブ３０６の第１の内周部３０６ａに光学フィルタ４００を、リブの第２の内周部３０６ｂにレンズキャップ５００を、同時に装着可能である構成にした。【選択図】図４
2013020098.tif 000002
【特許請求の範囲】
【請求項１】
撮像装置の光学系の先端部に着脱可能なレンズフードであって、
遮光板の内側にリブを有し、
前記リブは光学フィルタとレンズキャップを同時に装着可能である
ことを特徴とするレンズフード。
【請求項２】
前記レンズフードは長方形の開口部を有し、
前記リブは前記開口部の長辺の外側に配置されている
ことを特徴とする請求項１に記載のレンズフード。
【請求項３】
前記リブの内周部に光学フィルタを装着可能で、
前記リブの外周部にレンズキャップを装着可能である
ことを特徴とする請求項１又は請求項２に記載のレンズフード。
【請求項４】
前記リブは、第１の内周部と、第２の内周部を有し、
前記第１の内周部に光学フィルタを装着可能で、
前記第２の内周部にレンズキャップを装着可能である
ことを特徴とする請求項１又は請求項２に記載のレンズフード。
【請求項５】
前記光学系はコンバージョンレンズである
ことを特徴とする請求項１乃至請求項４の何れか１項に記載のレンズフード。
【発明の詳細な説明】
【技術分野】
【０００１】
本発明は、撮像装置に用いるレンズフードに関し、特に光学フィルタを装着可能なレンズフードに関するものである。
【背景技術】
【０００２】
デジタルカメラやビデオカメラ等の撮像装置は、映像の画角を広げたり、様々な映像効果を得るために、コンバージョンレンズや光学フィルタを装着することがある。
【０００３】
コンバージョンレンズと光学フィルタを同時に撮像装置に同時に装着可能とするためには、コンバージョンレンズの前端部内周面に雌ネジを形成し、光学フィルタ後端部外周面に形成した雄ネジを螺合するように構成することで可能となる。
【０００４】
しかしながら、光学フィルタ装着用の雌ネジを形成するためのスペースが必要となる為、コンバージョンレンズの外形が大型化し、光学フィルタを装着しないでコンバージョンレンズを使用する場合には不便である。
【０００５】
その解決手法として、光学フィルタ取付け用雌ネジを備えたフード飾りと、フード飾りの内側に、光学フィルタをフード飾りに取り付け可能な位置に円形状のリブを設けたフードピースとで構成したレンズフードが提案されている。（特許文献1参照）。
【０００６】
この提案によりレンズフードに光学フィルタを装着することが可能となり、光学フィルタをコンバージョンレンズに装着したレンズフードに装着することで、コンバージョンレンズを小型に構成することが可能となる。
【先行技術文献】
【特許文献】
【０００７】
【特許文献１】特許第３４９８５６７号明細書
【発明の概要】
【発明が解決しようとする課題】
【０００８】
一方で、撮像装置の撮像レンズの傷や汚れを防止するために、レンズキャップを装着する場合がある。
【０００９】
しかしながら、特許文献１に開示されたように、レンズフードの前端部に光学フィルタを装着する構成では、光学フィルタを装着し撮影を行った後、レンズキャップを装着する場合には、レンズフードに装着した光学フィルタを取外した後に、レンズキャップ装着部にレンズキャップを装着する必要があり、操作に手間がかかる。
【００１０】
また、円筒形状のレンズフードのみに適用可能でビデオカメラで使用される長方形状のレンズフードには適用できない為、レンズフードの形状に制約がある。
【００１１】
そこで、本発明の目的は、簡単な構成で光学フィルタとレンズキャップを同時に装着可能で形状の制約の少ないレンズフードを提供することである。
【課題を解決するための手段】
【００１２】
上記目的を達成するために、本発明のレンズフードは、撮像装置の光学系の先端部に着脱可能なレンズフードであって、遮光板の内側にリブを有し、リブは光学フィルタとレンズキャップを同時に装着可能であることを特徴とする。
【発明の効果】
【００１３】
本発明によれば、簡単な構成で光学フィルタとレンズキャップを同時にレンズフードに装着可能となり、光学フィルタをレンズフードに装着して撮影を行う場合の操作性が向上可能となる。さらに長方形状のレンズフードでも光学フィルタを装着可能となり、形状の制約の少ない光学フィルタを装着可能なレンズフードを提供可能となる。
【図面の簡単な説明】
【００１４】
【図１】本発明の実施形態のビデオカメラ全体の構成を示す分解斜視図
【図２】本発明の第１の実施形態のレンズフードの正面[a]と背面[b]図
【図３】図３のＡ-Ａ断面図
【図４】本発明の第１の実施形態のレンズフードと光学フィルタおよびレンズキャップの装着関係を示す分解斜視図
【図５】本発明の第１の実施形態のレンズフードに光学フィルタとレンズキャップを装着した時の断面図
【図６】本発明の第２の実施形態のレンズフードと光学フィルタおよびレンズキャップの装着関係を示す分解斜視図
【図７】本発明の第２の実施形態のレンズフードに光学フィルタとレンズキャップを装着した時の断面図
【発明を実施するための形態】
【００１５】
［実施例１］
以下、本発明の第１の実施形態のレンズフードについて図を参照し説明する。
【００１６】
図１は本発明の実施形態のビデオカメラ全体の構成を示す分解斜視図、図２は本発明の第１の実施形態のレンズフードの正面[a]および背面[b]図、図３は図２のＡ−Ａ断面図である。
【００１７】
図１、図２および図３において、１００はビデオカメラ、１０１はビデオカメラの撮像レンズ、１０２はビデオカメラの雌ネジ、２００はコンバージョンレンズ、２０１はコンバージョンレンズの鏡筒、２０２はレンズ、２０３は鏡筒２０１の雄ネジ、３００はレンズフード、３０１はレンズフードの開口部、３０２はレンズフードの勘合部、３０３は固定ネジ、３０４は固定部品、３０５はレンズフード３００の遮光板、３０６はレンズフード３００のリブ、３０６ａはリブ３０６の第１内周部、３０６ｂはリブ３０６の第２内周部、３０６ｃはリブ３０６の外周部、４００は光学フィルタ、５００はレンズキャップである。
【００１８】
ビデオカメラ１００は前面側に撮像レンズ１０１があり、前端面の内周面に例えばコンバージョンレンズや光学フィルタ等の付属品を取付け可能な雌ネジ１０２が形成されている。
【００１９】
コンバージョンレンズ２００は、鏡筒２０１にレンズ２０２を含む複数の図示しないレンズを押え環で固定し構成されており、鏡筒２０１の後端部の外周面に雄ネジ２０３が形成され、ビデオカメラ１００の雌ネジ１０２に螺合されるようになっている。
【００２０】
レンズフード３００は、略長方形状のレンズフードであって、中央に略長方形状の開口部３０１が形成され、さらにコンバージョンレンズ２００の前面側外周に勘合するように勘合部３０２が形成されている。この勘合部３０２をコンバージョンレンズ２００の前面側外周に勘合させ、固定ネジ３０３をねじ込むことで、固定部品３０４が突出しレンズフード３００をコンバージョンレンズ２００に固定する。
【００２１】
レンズフード３００の遮光板３０５は、コンバージョンレンズ２００にレンズフード３００を装着した状態で、コンバージョンレンズ２００への入射光を遮りフレアの発生を防止するように全周にわたって形成されている。
【００２２】
遮光板３０５の内側には、開口部３０１の上下に１対のリブ３０６が第１内周部３０６ａ、第２内周部３０６ｂおよび外周部３０６ｃを有するように円弧状に形成され、第１内周部３０６ａには雌ネジが形成される。
【００２３】
次に図４、図５を用いて本発明の第１の実施形態のレンズフードと光学フィルタおよびレンズキャップの装着関係を説明する。
【００２４】
図４は本発明の第１の実施形態のレンズフードと光学フィルタおよびレンズキャップの装着関係を示す分解斜視図、図５は本発明の第１の実施形態のレンズフードに光学フィルタとレンズキャップを装着した時の断面図である。
【００２５】
図４および図５において、４０１は光学フィルタ４００の雄ネジ、５０１はレンズキャップ５００の側壁、５０２は凸部である。
【００２６】
光学フィルタ４００は、後端部の外周面に雄ネジ４０１が形成され、前述したレンズフード３００の第１内周部３０６ａに形成された雌ネジに螺合されるようになっている。
【００２７】
レンズフード３００の第２内周部３０６ｂは、第１内周部３０６ａより大きい径で形成され、光学フィルタ４００の雄ネジ４０１を第１内周部３０６ａに形成された雌ネジに螺合したときに、光学フィルタ４００が当接しないように形成されている。
【００２８】
レンズキャップ５００は、例えばポリプロピレンといった弾性を有する材料で形成され、円周状に側壁５０１を備えている。この側壁５０１は、内周面に１対の凸部５０２が形成され、レンズキャップ５００は凸部５０２がレンズフードのリブ３０５の外周部３０６ｃに当接し、側壁５０１が弾性的に変形した状態でレンズフードのリブ３０５に装着される。
【００２９】
［実施例２］
以下、図６および図７を参照して、本発明の第２の実施形態のレンズフードについて説明する。
【００３０】
図６は本発明の第２の実施形態のレンズフードと光学フィルタおよびレンズキャップの装着関係を示す分解斜視図、図７は本発明の第２の実施形態のレンズフードに光学フィルタとレンズキャップを装着した時の断面図である。
【００３１】
図６および図７において、３１０はレンズフード、３１１はレンズフード３００の開口部、３１６はレンズフード３１０のリブ、３１６ａはリブ３１６の第１内周部、３１６ｂはリブ３１６の第２内周部、３１７は係止爪、５１０はレンズキャップ、５１１はレンズキャップ５１０の側壁、５１２は係止凹部である。
【００３２】
レンズフード３１０は、開口部３１１の上下に１対のリブ３１６が第１内周部３１６ａ、第２内周部３１６ｂを有するように円弧状に形成され、第１の内周部３１６ａには雌ネジが形成されている。
【００３３】
第２の内周部３１６ｂは、係止爪３１７が一体的に形成されている。
【００３４】
光学フィルタ４００は、後端部の外周面に雄ネジ４０１が形成され、レンズフード３００の第１内周部３１６ａに形成された雌ネジに螺合されるようになっている。
【００３５】
レンズキャップ５１０は、円周状に側壁５０１を備えている。レンズキャプ５１０の側壁５０１の外周面にはレンズフード３００のリブ３１６に形成された係止爪３１７に対応する位置に係止凹部５１２が形成されており、係止凹部５１２とレンズフードの係止爪３１７を勘合させることでレンズキャップ５１０がレンズフードのリブ３１５に装着される。
【００３６】
以上、説明した構成にすることで、略長方形状のレンズフードに光学フィルタとレンズキャップを同時に装着することが可能となる。
【符号の説明】
【００３７】
１００‥‥ビデオカメラ
２００‥‥コンバージョンレンズ
３００、３１０‥‥レンズフード
３０５‥‥レンズフードの遮光板
３０６、３１６‥‥レンズフードのリブ
３０６ａ、３１６ａ‥‥リブの第１内周部
３０６ｂ、３１６ｂ‥‥リブの第２内周部
３０６ｃ‥‥リブの外周部
４００‥‥光学フィルタ
５００‥‥レンズキャップ
【図１】
2013020098.tif 000003
【図２】
2013020098.tif 000004
【図３】
2013020098.tif 000005
【図４】
2013020098.tif 000006
【図５】
2013020098.tif 000007
【図６】
2013020098.tif 000008
【図７】
2013020098.tif 000009